(57)【要約】【課題】  預金通帳を入れるポケット型の通帳ケースに於いて、預金通帳と一緒に入れたキャッシュカードが通帳ケースから抜け落ちないように、抜け落ち防止用のガード部材を設けた通帳ケースを提供する。【解決手段】  ポケット型の通帳ケースのおもて面に、キャッシュカードが抜け落ちるときの経路を塞ぐ舌片状のガード部材を設けた通帳ケースを特徴とする。【選択図】図２
2019209674.tif 000002
【特許請求の範囲】
【請求項１】
預金通帳を入れる通帳ケースに於いて、前記通帳ケースは、前記預金通帳と類似形の長方形をし、上部に前記預金通帳を出し入れする開口部を有するポケット型であり、前記通帳ケースのおもて面部材の内面に、前記通帳ケースの底辺に向かって伸びる舌片状のガード部材を設け、前記ガード部材の先端部の位置が、前記通帳ケース内にヨコ置きしたキャッシュカードの高さより上であり、且つ前記ガード部材は前記通帳ケースの内部側に向かって反っていることを特徴とする通帳ケース。
【請求項２】
預金通帳を入れる通帳ケースに於いて、前記通帳ケースは、前記預金通帳と類似形の長方形をし、上部に前記預金通帳を出し入れする開口部を有するポケット型であり、前記通帳ケースのおもて面部材の内面又は外面に、前記通帳ケースの底辺に向かって伸びる舌片状のガード部材を設け、前記ガード部材の先端部の位置が、前記通帳ケース内にヨコ置きしたキャッシュカードの高さより下であり、且つ前記おもて面部材の前記ガード部材に対応する位置に前記ガード部材を押すための孔を設けたことを特徴とする通帳ケース。
【請求項３】
請求項２において、前記孔は、前記ガード部材の輪郭に沿った形であることを特徴とする通帳ケース。
【請求項４】
預金通帳を入れる通帳ケースに於いて、前記通帳ケースは、前記預金通帳と類似形の長方形をし、上部に前記預金通帳を出し入れする開口部を有するポケット型であり、前記通帳ケースのおもて面部材に、前記通帳ケースの底辺に向かって伸びる舌片状のガード部材の切込みを入れ、前記ガード部材の先端部の位置が、前記通帳ケース内にヨコ置きしたキャッシュカードの高さより上であり、且つ前記ガード部材は前記通帳ケースの内部側に向かって反っていることを特徴とする通帳ケース。
【請求項５】
預金通帳を入れる通帳ケースに於いて、前記通帳ケースは、前記預金通帳と類似形の長方形をし、上部に前記預金通帳を出し入れする開口部を有するポケット型であり、前記通帳ケースのおもて面部材に、前記通帳ケースの底辺に向かって伸びる舌片状のガード部材の切込みを入れ、前記ガード部材の先端部の位置が、前記通帳ケース内にヨコ置きしたキャッシュカードの高さより下であることを特徴とする通帳ケース。
【請求項６】
請求項１〜５において、前記ガード部材の先端部は丸みを帯びた舌形状であることを特徴とする通帳ケース。
【請求項７】
請求項１〜５において、舌片状の前記ガード部材の上辺の端点は、前記キャッシュカードが前記通帳ケースから抜け出るときの通過軌跡を与える包絡線の前記キャッシュカード側の領域に設定されていることを特徴とする通帳ケース。
【請求項８】
請求項２，３，５において、前記ガード部材の上辺の長さは、約１０ｍｍ以上であることを特徴とする通帳ケース。
【請求項９】
請求項２，３，５において、前記ガード部材の上辺から前記ガード部材の先端部までの長さは、約１０ｍｍ以上であることを特徴とする通帳ケース。
【請求項１０】
請求項２，３，５において、前記ガード部材の先端部とヨコ置きした前記キャッシュカードとの重なり部の長さは、約２ｍｍ以上、８ｍｍ以下であることを特徴とする通帳ケース。
【発明の詳細な説明】
【技術分野】
【０００１】  本発明は、収納ケースに係わり、特に預金通帳を収納する通帳ケースに関するものである。
【背景技術】
【０００２】  銀行、郵便局などの金融機関に於いて預金口座を開設すると、預金通帳や貯金通帳など（以後、共に預金通帳と呼ぶ）と一緒にキャッシュカードが発行され、軟質の主に塩化ビニール製の通帳ケースも同時に支給される。この支給される通帳ケースは、預金通帳より若干大きなサイズで預金通帳と同形の長方形の４辺のうち３辺を融着し、残る１辺は預金通帳を出し入れする開口部であるポケット型をしている。【０００３】  通常、預金通帳保持者は、通帳ケースに預金通帳とキャッシュカードを一緒に入れて保管し、必要に応じて、通帳ケースをハンドバッグ、カバンなどに入れて持ち運び、金融機関窓口やＡＴＭ（自動現金預入払出機）にて使用する。このポケット型の通帳ケースが保管時や持ち運び時、使用時に上下が水平から傾いたり逆になると、預金通帳は大きいので通帳ケースから完全に抜け落ちることはほとんど無いが、キャッシュカードは小さく、滑りやすいので使用時に落下する、ハンドバッグやカバンなどに滑り落ちてすぐに見つからない、紛失するという問題が発生する。【０００４】  従来、通常は無償で支給される上記の通帳ケース以外のものとして、開いた左右のカバーに預金通帳やキャッシュカードを入れるポケットを有している手帳型のものが市販されている。これは、かさばる、持ち運びに不便、預金通帳やキャッシュカードの出し入れが煩わしいという欠点を有する。又、材質も皮や合成樹脂など色々あり材料コストや製造コストが高いという欠点もある。さらに、上部開口部にファスナーやフラップ（ふた、押さえ部材）を付けたポケット型のクリアファイルが預金通帳やキャッシュカードを入れる通帳ケースとして市販されている。これは、使用時にファスナーやフラップを開閉するのが煩わしいという欠点を有する。又、コストが高いという欠点もある。【０００５】  一方、実開平７−２７８６５号公報や実登３０４７２５１号公報には、ポケット型の通帳ケースの外面にキャッシュカード入れの専用ポケットを設けた構成が示されている。この構成に於いては、専用ポケットからキャッシュカードが抜け落ちるのを完全には防止できないという問題がある。専用ポケットからキャッシュカードが抜け落ちづらくするためには、専用ポケットとキャッシュカードの間に緩みや隙間が少なくする必要がある。しかしながら、この場合には専用ポケットへのキャッシュカードの出し入れが容易でなく使いづらいという問題がある。又、専用ポケットは、通帳ケースの外面に作っているためキャッシュカード自体が通帳ケースの外側にあり、ハンドバッグやカバンなどに入れた場合に他の物に引っかかって、扱いづらいという問題がある。【０００６】  特開２００１−７８８１９号公報や実登３０２７１２９号公報には、カード入れポケット部に入れたキャッシュカードに対して、ポケット部から一部露出しているキャッシュカードを上から押さえる方法が示されている。この方法は基本的に専用ポケットに対応しており、前述の実開平７−２７８６５号公報や実登３０４７２５１号公報と同じで専用ポケット部にキャッシュカードを入れるという煩わしさがある。
【先行技術文献】
【特許文献】
【０００７】
【特許文献１】実開平７−２７８６５号公報
【特許文献２】実用新案登録第３０４７２５１号公報
【特許文献３】特開２００１−７８８１９号公報
【特許文献４】実用新案登録第３０２７１２９号公報
【発明の概要】
【発明が解決しようとする課題】
【０００８】  本発明の目的は、上記事情にかんがみ、ポケット型の通帳ケースにおいて、通帳ケースの中で場所が固定されることなく動くことが可能なキャッシュカードの抜け落ちを完全に防止できる通帳ケースを提供することにある。本発明の別の目的は、上部開口部にファスナーやフラップをつけず、又、専用のキャッシュカードの収納部も設けないコストの安い通帳ケースを提供することにある。又、本発明の別の目的は、預金通帳やキャッシュカードの出し入れが従来と同じであり、キャッシュカードを上部開口部の何処からでも無造作に出し入れでき、出し入れに煩わしさのない通帳ケースを提供することにある。又、本発明の別の目的は、キャッシュカードの抜け落ちを防止する機構が、他の物に引っかかったりしない通帳ケースを提供することにある。
【課題を解決するための手段】
【０００９】  本発明は、上記目的を達成するために、ポケット型の通帳ケースに於いて、キャッシュカードが開口部から抜け落ちるときの経路を塞ぐ舌片状の抜け落ち防止用のガード部材を通帳ケースのおもて面に設けたものである。
【発明の効果】
【００１０】  本発明によれば、  ポケット型の通帳ケースにおいて、キャッシュカードの抜け落ちを完全に防止できるという効果がある。又、コストの安い通帳ケースを提供できるという効果がある。又、キャッシュカードを上部開口部の何処からでも従来と同じように無造作に出し入れでき、出し入れに煩わしさがなく操作性にすぐれているという効果がある。又、キャッシュカードの抜け落ちを防止する機構が、他の物に引っかかったりしないという効果がある。
【図面の簡単な説明】
【００１１】
【図１】  本発明に係る従来の通帳ケースの正面図と断面図
【図２】  本発明に係る通帳ケースの第１の実施例を示す正面図と断面図
【図３】  本発明に係る通帳ケースの第２の実施例（非動作時）を示す正面図と断面図
【図４】  本発明に係る通帳ケースの第２の実施例（動作時）を示す正面図と断面図
【図５】  本発明に係る通帳ケースの第３の実施例を示す正面図と断面図
【図６】  本発明に係る通帳ケースの第４の実施例を示す正面図と断面図
【図７】  本発明に係る通帳ケースの第５の実施例を示す正面図と断面図
【図８】  本発明に係る通帳ケースの第６の実施例を示す正面図と断面図
【図９】  本発明に係る通帳ケースの第７の実施例を示す正面図と断面図
【図１０】  本発明に係る通帳ケースの第８の実施例を示す正面図と断面図
【図１１】  本発明に係る通帳ケースの第９の実施例を示す正面図と断面図
【図１２】  本発明に係る通帳ケースの第１０の実施例を示す正面図と断面図
【図１３】  本発明に係る抜け落ち防止のブロック点の設定領域の説明図
【発明を実施するための形態】
【００１２】  以下本発明の実施例を図面により説明する。図１は、本発明を適用する、上部に開口部を有する従来のポケット型の通帳ケースの概略図である。図１（ａ）は正面図、図１（ｂ）は断面図で図１（ａ）の中心線１４に沿ったＡＡ断面を示したものである。図１（ａ）に於いて、通帳ケース１は例えば軟質の塩化ビニール製で、接合部１５で示すようにおもて面部材１１と裏面部材１２の四辺のうち三辺の端部を熱圧着、融着、接着などの方法により幅２ｍｍ程度貼り合わせたポケット型をしており、上部に開口部１３を有する。通帳ケース１には預金通帳２とキャッシュカード３が収納されている。通帳ケース１のおもて面部材１１は裏面部材１２より高さが約５ｍｍ短く、預金通帳２、キャッシュカード３の出し入れを容易にしている。
【００１３】  通常、預金通帳２の寸法は、タテ８７ｍｍ、ヨコ１４０ｍｍ、厚さ２ｍｍ、またキャッシュカード３の寸法は、規格で規定されておりタテ５３．９８ｍｍ、ヨコ８５．６０ｍｍ、厚さ０．７６ｍｍである。また、通帳ケース１の寸法は特に規定されていないが通常、おもて面部材１１がタテ×ヨコが約９５ｍｍ×１５２ｍｍ、裏面部材１２がタテ×ヨコが約１００ｍｍ×１５２ｍｍである。また、通帳ケース１において図１（ｂ）に示すように預金通帳２とキャッシュカード３を入れると中心部付近では約５ｍｍの膨らみが形成される。預金通帳２とキャッシュカード３は、厚みを持っているため、預金通帳２やキャッシュカード３は特に押し付けたりしない限り、接合部１５から約３ｍｍの二点鎖線で示した実質接合部１６の所までしか接合部１５に近づく事が出来ない。
【００１４】  本発明の第１の実施例を図２において説明する。図２は、キャッシュカード３の抜け落ち防止用のガード部材４を有する本発明の通帳ケース１を示したものである。図２（ａ）は正面図、図２（ｂ）は図２（ａ）のＡＡ断面図である。図２（ａ）に於いて、通帳ケース１のおもて面部材１１の内面には、横方向の中心線１４に対称にＱＲＳで示した舌片状のガード部材４が、上部の長方形ＰＱＳＴの接着部４１により貼り付けられている。ガード部材４の先端形状は、丸みを帯びた舌形状をしている。
【００１５】  ここで舌片状とは、一辺が固定されて下に垂れ下がっている薄片の意味で用いる。舌片状の中には、先端形状が、正方形や長方形のように平らなもの、本実施例のように円形や楕円形のような丸みを帯びて尖っている舌形状のもの、三角形のように直線的に尖っているものなど様々なものがある。ガード部材４とそれにつながる接着部４１は、少し硬質な樹脂フィルムであり、線ＱＳのところで折り曲げられ通帳ケース１の内部方向に反った状態を保つように熱処理されている。これにより、ガード部材４は押さえつける力に対して弾性を有する。ガード部材４の先端部Ｒが横置きしたキャッシュカード３の２〜１０ｍｍほど上にくるようにおもて面部材１１の内面に接着部４１で貼り付けている。ガード部材４の先端部Ｒは預金通帳２の表面に接触して撓んでいる。接着部４１での貼り付け方法は、接着以外にも熱圧着、融着など方式にはこだわらない。
【００１６】  ガード部材４の先端部Ｒが預金通帳２の表面に接触している状態は、通帳ケース１が縦置きでも、横置きでも、上下逆置きの場合でも変わらない。ガード部材４は、おもて面部材１１や預金通帳２の動きに連動して弾性的にたわむため、先端部Ｒは常時、預金通帳２の表面に接触している。その結果、通帳ケース１の内部にあるキャッシュカード３は、通帳ケース１の内部を拘束されないで自由に動くことができるが、通帳ケース１がいかなる状況でも、おもて面部材１１、預金通帳２、ガード部材４の形成する空間に閉じ込められて通帳ケース１からの抜け落ちが防止される。
【００１７】  例えば、通帳ケース１の上下が逆になった場合、キャッシュカード３は、預金通帳２に沿って下方に落下する時にガード部材４の先端部Ｒで預金通帳２の表面からかき取られておもて面部材１１、ガード部材４、預金通帳２の形成する空間に閉じ込められる。又、預金通帳２が先に飛び出してしまった場合には、ガード部材４の先端部Ｒは、裏面部材１２と接触してたわむので、キャッシュカード３は、おもて面部材１１、ガード部材４、裏面部材１２の形成する空間に閉じ込められて通帳ケース１からの抜け落ちが防止される。
【００１８】  キャッシュカード３が抜け落ちるには、ガード部材４の点Ｑまたは点Ｓの横を通過しなければならない。点Ｑ、点Ｓは、後に図１３にて詳述するように、キャッシュカード３が通帳ケース１から抜け出すときの通過軌跡を与える数学的な包絡線のキャッシュカード側に設定されているため、キャッシュカード３は、点Ｑ、点Ｓにブロックされて開口部１３から出ることが出来ず、通帳ケース１からの抜け落ちが完全に防止される。このことから点Ｑ、点Ｓをブロック点と呼ぶ。
【００１９】  ガード部材４の先端部Ｒは、預金通帳２の側面に軽く接触しているだけなので、預金通帳２の出し入れには何ら影響をおよぼさない。又、キャッシュカード３を入れる場合には、キャッシュカード３を入れる方向に先端部Ｒが伸びているので挿入動作の負荷とはならないので、開口部１３のどこからでもキャッシュカード３は、自重で通帳ケース１の底部に収納される。又、キャッシュカード３を取り出す場合には、預金通帳２とおもて面部材１１の間に指を入れてガード部材４の有無を意識することなく従来と同じやり方で容易に取り出すことができる。
【００２０】  このように本実施例によれば、通帳ケース１に付加したガード部材４の影響を全く受けないで預金通帳２、キャッシュカード３の出し入れが無造作に出来ると同時に、キャッシュカード３の抜け落ちを防止できるという長所がある。
【００２１】  本実施例において、ガード部材４として先端形状が丸みを帯びた舌形状のものを使用している。例えば、先端形状が平らな長方形のガード部材４を用いた場合に、ガード部材４は軟質のおもて面部材１１に接着部４１により接着しているため、おもて面部材１１がゆがんだ時にガード部材４も同時にゆがみ、ガード部材４の平らな先端部が均一に預金通帳２に接触しなくなりキャッシュカード３に対する掻きとり動作が不安定になる。これに対して、先端形状が尖っている場合には必ず尖っている先端部が預金通帳２と接触するため、キャッシュカード３を確実に掻きとる事が出来る。先端部が尖っている形状の中でも、丸みを帯びた舌形状の方が直線的に尖っている形状よりも、先端部の強度、変形に対する安定性、キャッシュカード３に対する掻きとり性において良好である。
【００２２】  本発明の第２の実施例を図３、図４において説明する。図３（ａ）は正面図、図３（ｂ）は図３（ａ）のＡＡ断面図、同様に図４（ａ）は正面図、図４（ｂ）は図４（ａ）のＡＡ断面図である。図３は、抜け防止用のガード部材４による抜け防止機能が動作していない状態、図４は、ガード部材４による抜け防止機能が動作している状態を示す。
【００２３】  図３（ａ）に於いて、第１の実施例と同様に、通帳ケース１のおもて面部材１１の内面に横方向の中心線１４に対称にＱＲＳで示したガード部材４を設けている。本実施例におけるガード部材４の先端部Ｒは、第１の実施例と異なり、横置きしたキャッシュカード３の上辺から５ｍｍほど低い位置に設定されている。即ち、ガード部材４は、第１の実施例よりも長く伸びて先端部Ｒがキャッシュカード３と５ｍｍほど重なっている。又、ガード部材４の材質は、少し硬質から軟質な樹脂フィルムである。実施例１とは異なりガード部材４は、線ＱＳのところで接着部４１とは平面的につながっている。即ち、ガード部材４は、通帳ケース１の内部方向に反った形状で製作する必要がなく、押さえつける力に対する弾性力の付与は不要である。
【００２４】  ガード部材４に略対応するおもて面部材１１には、長方形ｅｆｇｈの孔５があいている。孔５の底辺ｆｇはガード部材４の先端部Ｒより下方に位置している。孔５からは、ガード部材４のほぼ全体が見えている。通帳ケース１にキャッシュカード３が入っている状態でガード部材４を孔５の外側から、あるいは通帳ケース１の内側から直接、指で押すことにより先端部Ｒが撓んでキャッシュカード３の上辺を越えて移動し、抜け防止機能の動作状態、非動作状態を切りかえる事ができる。孔５が有ることにより、ガード部材４に指の押す力が効果的に伝わり先端部Ｒの移動が可能になる。
【００２５】  図３は、キャッシュカード３を使用後に、通帳ケース１の開口部１３から通帳ケース１に入れた直後の状態であり、図３（ｂ）からわかるように、キャッシュカード３は預金通帳２とガード部材４の間にある。この状態は、ガード部材４による抜け防止機能が動作していない状態である。通帳ケース１の上下が逆転した場合にはキャッシュカード３は開口部１３から抜け落ちる。
【００２６】  図４は、ガード部材４による抜け防止機能が動作している状態を示す。キャッシュカード３の使用後に、通帳ケース１にキャッシュカード３を戻す場合、右利きの人は、通常、左の手のひらで通帳ケース１を下から支え、右手の親指と人差し指でキャッシュカード３をつまんで開口部１３から通帳ケース１の中にキャッシュカード３を入れる動作を行う。この動作の後すなわち、図３の状態の時に、右手の親指で、孔５を通して直接ガード部材４を外から押すと簡単にガード部材４の先端部Ｒは、キャッシュカード３の上辺を越えて移動し、図４（ｂ）から明らかに分かるように、抜け防止機能が動作状態となる。
【００２７】  キャッシュカード３を使用するために通帳ケース１から取り出す場合は、人差し指を通帳ケース１に差し込んでキャッシュカード３を引き出す時に、人差し指が図４（ｂ）の状態のガード部材４に触れて先端部Ｒを孔５側に押すことにより、ガード部材４の先端部Ｒがキャッシュカード３の上辺を越えて孔５側に移動し、図３のように抜け防止機能が非動作状態となる。従って、特に、ガード部材４を押す動作を意識しなくても、キャッシュカード３を取り出すことが可能となる。又、左利きの人は、左手の親指と人差し指で同様の動作を行う。
【００２８】  このように本実施例によれば、孔５を設けてガード部材４を指で押すことにより、ガード部材４の動作状態の切り替えが可能になるので、ガード部材４に弾性力の付与は必要ないという長所がある。更に、弾性力の付与が必要ないので、ガード部材４の材料として、柔軟性のある物なら、紙、布、皮、金属箔、プラスチックスなど選択肢が大幅に増えるという効果がある。又、本実施例によれば、ガード部材４の動作状態を孔５を通して目視で確認できるという長所がある。又、本実施例によれば、一旦、抜け防止機能が動作状態になると、ガード部材４や通帳ケース１が何らかの異常な状態で大きく変形しない限りはキャッシュカード３の抜け落ちを完全に防止できるという長所がある。本実施例における孔５は、ガード部材４に指の押す力が効果的に伝わればよいので、その形状にはこだわらない。
【００２９】  本実施例の接着部４１の寸法として、縦方向の長さＰＱ、ＴＳは、接着強度のてんから２、３ｍｍ程度まで短くすることも可能である。又、接着部４１の下辺ＱＳと孔５の上辺ｅｈの距離は短いほうが扱いやすいので両辺が重なってもよい。抜け防止機能を動作状態とするために孔５を通してガード部材４を押すことが必要であるが、親指以外の物、例えば人差し指や鉛筆のようなもので押すと操作性が大幅に低下する。
【００３０】  親指で効率よくガード部材４を押すためには、ガード部材４の最大幅（この場合は線ＱＳの長さ）は、約１０ｍｍ以上、望ましくは１５ｍｍ以上がよい。又、ガード部材４の縦方向の長さ（この場合は線ＱＳと先端部Ｒの距離）は、長いほど親指で押しやすく、かつ、先端部Ｒが撓みやすいので約１０ｍｍ以上、望ましくは１５ｍｍ以上がよい。更に、ガード部材４の先端部Ｒと横置きしたキャッシュカード３の上辺との重なりの長さは、１ｍｍ以下の場合には通帳ケース１に何らかの外力が加わったときに、先端部Ｒが移動して抜け防止機能が非動作状態へ解除される場合がある。従って、重なりの長さは、約２ｍｍ以上が望ましい。又、抜け防止機能の動作、非動作状態の切り替えを容易にするためには重なりの長さは、約８ｍｍ以下が望ましい。本実施例にて記載した、ガード部材４の最大幅、ガード部材４の縦の長さ、ガード部材４の先端部Ｒと横置きしたキャッシュカード３の上辺との重なりの長さについての規制は、ガード部材４を指で押して抜け防止機能の動作状態、非動作状態を切りかえる後述する他の実施例にも同様に適用される。
【００３１】  本発明の第３の実施例を図５において説明する。第３の実施例は、図３、図４における長方形ｅｆｇｈの孔５の縦方向の長さ、即ち辺ｅｆ、ｇｈの長さを短くして、ガード部材４の先端部Ｒにおもて面部材１１が重なるようにしたものである。
【００３２】  本実施例によれば、キャッシュカード３を使用するために、ガード部材４による抜け防止機能を動作状態から非動作状態にするときに、ガード部材４の先端部Ｒがキャッシュカード３の上辺を越えて移動し、おもて面部材１１に当たって止まり、おもて面部材１１の表面から出っ張ることがない。又、ガード部材４と孔５の隙間が減るので、持ち運び時にカバン、ハンドバッグに入っているほかの物品に引っかかりづらいという長所を有する。
【００３３】  本発明の第４の実施例を図６において説明する。図６（ａ）は正面図、図６（ｂ）は図６（ａ）のＡＡ断面図である。図６は、ガード部材４による抜け防止機能が動作していない状態を示す。本実施例は、図３〜図５に示した第２、第３の実施例における長方形の孔５の形を、図３〜図５にて示したガード部材４の舌形状と同じ形状に変えたものである。図６に於いて、おもて面部材１１には、舌形状ｊｋｌの孔５があいている。孔５は、ガード部材４の先端部Ｒがスムーズに移動できるように、ガード部材の形と相似形で少し大きくなっている。本実施例によれば、孔５とガード部材４の間の隙間が狭くなるので持ち運び時にカバン、ハンドバッグなどに入っているほかの物品に引っ掛かることがほとんどないという長所を有する。又、孔５とガード部材４の間の隙間が目立たないので、デザイン的にシンプルであるという特徴がある。
【００３４】  本発明の第５の実施例を図７において説明する。図７（ａ）は正面図、図７（ｂ）は図７（ａ）のＡＡ断面図である。本実施例は、第１の実施例において図２にＰＱＲＳＴで示したガード部材４と接着部４１の組み合わせ部を逆にして線ＱＳのところでガード部材４を約１８０度下に折り曲げておもて面部材１１の内面に接着部４１により貼り付けた構成になっている。
【００３５】  ガード部材４は、少し硬質な樹脂フィルムであり、線ＱＳのところで折り曲げた状態で熱処理され、折り曲げた状態を保持している。これにより、ガード部材４は押さえつける力に対して弾性を有する。図７（ｂ）に示すように、ガード部材４の先端部Ｒは常時、預金通帳２の表面に接触して撓んでいる。又、ガード部材４の先端部Ｒは横置きしたキャッシュカード３の２〜１０ｍｍほど上にくるように設定されている。
【００３６】  通帳ケース１において経年劣化などにより折り曲げ力が低下して折り曲げ部が元の状態に戻ろうとした場合、第１の実施例では、ガード部材４の先端が預金通帳２を押す力が弱まるようになる。これに対して本実施例の場合は、ガード部材４の先端が預金通帳２を押す力が強まるように作用し、キャッシュカード３に対するかきとり力が保持されるという長所がある。
【００３７】  本発明の第６の実施例を図８において説明する。図８（ａ）は正面図、図８（ｂ）は図８（ａ）のＡＡ断面図である。図８は、ガード部材４による抜け防止機能が動作している状態を示す。本実施例は、図３、図４に於いて説明した第２の実施例に於いて、通帳ケース１のおもて面部材１１の内面に設けたガード部材４を、おもて面部材１１の外面にＰＱＳＴの接着部４１で貼り付けたものである。ガード部材４が線ＱＳで接着部４１に対して折れ曲がって孔５を通って容易に通帳ケース１の内部に入ることが出来るように、接着部４１の下辺ＱＳと孔５の上辺ｅｈの位置を一致させている。それ以外は、第２の実施例と本質的に同じである。
【００３８】  図８において、通帳ケース１にキャッシュカード３が入っている状態でガード部材４を孔５の外側から、あるいは通帳ケース１の内側から直接、指で押すことにより先端部Ｒが撓んでキャッシュカード３の上辺を越えて移動し、抜け防止機能の動作状態、非動作状態を切りかえる事ができる。本実施例によれば、通帳ケース１を組み立てる最終段階でガード部材４を接着できるので、通帳ケース１の製作工程が簡単になるという長所がある。ガード部材４を、おもて面部材１１の外面に設ける本実施例の方法は、第２の実施例だけでなく、第３、第４の実施例に対しても同様に適用可能である。
【００３９】  本発明の第７の実施例を図９において説明する。図９（ａ）は正面図、図９（ｂ）は図９（ａ）のＡＡ断面図である。本実施例は、図３〜図６に示した第２〜第４の実施例における孔５の代わりにキャッシュカード３の上辺に沿っておもて面部材１１に直線の切込み６を入れたものである。図９において、キャッシュカード３の上辺に沿って、上辺の３ｍｍ上のところに水平に長さ５０ｍｍ、幅１ｍｍの直線ｍｎの切込み６を入れた。ガード部材４は第２〜第４の実施例と同じである。第２〜第４の実施例では孔５を通して指で直接的にガード部材４を押しているが、本実施例では、おもて面部材１１を介して間接的にガード部材４を押す点が大きく異なる。
【００４０】  図９は、ガード部材４による抜け防止機能が動作していない状態を示す。抜け防止機能を動作する場合には、ガード部材４に対応するおもて面部材１１を指で押すと、切込み６の上方部が凹むが、切込み６の端部ｍ、ｎから離れるほど、即ち切込み６の中心部ほど大きくへこみ、下にあるガード部材４も一緒にへこむ。切込み６とガード部材４の交点をＭ、Ｎとすると、ガード部材４の先端部分ＭＲＮをおもて面部材１１が引っ張るかたちで先端部Ｒがキャッシュカード３の上辺を越えることになり、抜け防止機能が動作状態となる。逆に、ガード部材４を通帳ケース１の内側から指で表側に押すことにより、切込み６の上方部は大きく出っ張り、ガード部材４の先端部Ｒがキャッシュカード３の上辺を越えることになり、抜け防止機能が非動作状態となる。
【００４１】  本実施例によれば、おもて面部材１１に直線の切込みを入れただけで、ガード部材４の動作状態の切り替えが可能になるので、通帳ケース１の製作工程が容易になるという長所がある。直線の切込みは、打ち抜き加工で容易に作成可能であるが、単にカッターで切って、両端部が裂けないように円形処理、熱処理してもよい。
【００４２】  本発明の第８の実施例を図１０において説明する。図１０（ａ）は正面図、図１０（ｂ）は図１０（ａ）のＡＡ断面図である。第７の実施例で図９に示したガード部材４の点Ｍ、Ｒ、Ｎに対応するおもて面部材１１上の点をｕ、ｒ、ｖとする。第８の実施例は、図９における直線ｍｎの切込み６の代わりに曲線ｍｕｒｖｎの切込み６を用いて、舌形状ｕｒｖの部分を、おもて面部材１１そのものを用いて形成したガード部材４とするものである。
【００４３】  図１０に於いて、曲線ｕｒｖのガード部材４の上方部を指で押すと、切込み６の上方部が凹むが、切込み６の中心部であるガード部材４が大きくへこむため、先端部ｒがキャッシュカード３の上辺を越えることになり、舌形状ｕｒｖのガード部材４により抜け防止機能が動作状態となる。逆に、ガード部材４の上方部を通帳ケース１の内側から指で表側に押すことにより、先端部ｒがキャッシュカード３の上辺を越えることになり、抜け防止機能が非動作状態となる。
【００４４】  本実施例によれば、単におもて面部材１１に切込みを入れただけで形成したガード部材４により抜け防止機能の動作、非動作状態の切り替えが可能になる。従って、実施例１〜７における、おもて面部材１１とは別体のガード部材４の製作や、おもて面部材１１の内面や外面への貼り付けの工程が不要になり、通帳ケース１の製作工程が大幅に簡単になるという長所と同時に、コスト的にも大幅に安価になるという長所がある。曲線の切込みは、打ち抜き加工で容易に可能であるが、単にカッターで切ってもよい。
【００４５】  本発明の第９の実施例を図１１において説明する。図１１（ａ）は正面図、図１１（ｂ）は図１１（ａ）のＡＡ断面図である。図１１は、おもて面部材１１により形成したガード部材４による抜け防止機能が動作している状態を示す。第２〜４、第６、第７の実施例で示したガード部材４の点Ｑ、Ｒ、Ｓに対応するおもて面部材１１上の点をｑ、ｒ、ｓとする。本実施例は、図１０に於ける曲線ｍｕｒｖｎの切込み６の代わりに、舌形状曲線ｑｒｓの切込み６を用い、曲面ｑｒｓの部分を、舌形状のガード部材４としたものである。
【００４６】  図１１に於いて、舌形状ｑｒｓのガード部材４を通帳ケース１の内側から指で表側に押すことにより、ガード部材４の先端部ｒがキャッシュカード３の上辺を越えることになり、抜け防止機能が非動作状態となる。逆に、ガード部材４を外側から指で押すと、ガード部材４が大きくへこむため、先端部ｒがキャッシュカード３の上辺を越えることになり、抜け防止機能が動作状態となる。
【００４７】  本実施例によれば、第８の実施例の直線と曲線を組み合わせた切込みに比べて、より単純な舌形状の切込みを用いているので、第８の実施例以上に、通帳ケース１の製作工程が大幅に簡単になり、且つ、コスト的にも安価になるという長所がある。又、切込み形状が単純なので、通帳ケース１をカバン、ハンドバッグなどに入れた場合に、切込み部が他の書類などに引っかかりづらいという長所がある。又、デザイン的にシンプルであるという長所を有する。
【００４８】  本発明の第１０の実施例を図１２において説明する。図１２（ａ）は正面図、図１２（ｂ）は図１２（ａ）のＡＡ断面図である。第１の実施例において図２に示したガード部材４の点Ｑ、Ｒ、Ｓに対応するおもて面部材１１上の点をｑ、ｒ、ｓとする。本実施例は、第１の実施例のガード部材４の代わりに、おもて面部材１１を切り抜いて作った舌形状曲線ｑｒｓをガード部材４として使用したものである。
【００４９】  通帳ケース１のおもて面部材１１の素材は、少し硬質な樹脂フィルムであり、ガード部材４は、線ｑｓのところで通帳ケース１の内部方向に曲がった形で製作されている。これにより、ガード部材４は押さえつける力に対して弾性を有する。図１２（ｂ）に示すように、ガード部材４の先端部ｒは常時、預金通帳２の表面に接触して撓んでいる。
【００５０】  その結果、通帳ケース１がいかなる状況でも、キャッシュカード３は、おもて面部材１１、預金通帳２、ガード部材４の形成する空間に閉じ込められて通帳ケース１からの抜け落ちが防止される。キャッシュカード３を取り出す場合には、預金通帳２とおもて面部材１１の間に指を入れてガード部材４の有無を意識することなく従来と同じやり方で容易にキャッシュカード３を取り出すことができる。又、キャッシュカード３を通帳ケース１に入れる際は、開口部１３から投入すれば、キャッシュカード３は自重でガード部材４の先端部ｒを押し抜けて通帳ケース１内部に収納される。
【００５１】  このように本実施例によれば、第１の実施例と同様に、ガード部材４の影響を全く受けないで預金通帳２、キャッシュカード３の出し入れが出来ると同時に、キャッシュカード３の抜け落ちを防止できるという長所がある。又、通帳ケース１とは別体でガード部材を製作し、且つ、それを通帳ケース１に接着しなくてもよいという長所がある。
【００５２】  図１３は、キャッシュカード３の抜け落ちを防止するブロック点（例えば第１〜第７、第９、第１０の実施例の点Ｑ、Ｓ、第８の実施例の点ｕ、ｖ、第９、第１０の実施例の点ｑ、ｓ）等の設定領域の説明図である。ブロック点の例として図２の点Ｑ、Ｓで説明する。
【００５３】  通帳ケース１に入っているキャッシュカード３が、開口部１３を通って通帳ケース１の向かって左側から外部に抜け出す場合を考える。キャッシュカード３は、ブロック点Ｑに当たると進行を阻害されるので、ブロック点Ｑから離れて移動するのが一番抜け出しやすくなる。キャッシュカード３は、融着している接合部１５の外側（非融着側）しか動けない。実際には、図１で説明したように預金通帳２とキャッシュカード３は、厚みを持っているため二点鎖線で示した実質接合部１６の所までしか接合部１５に近づく事が出来ないため実質接合部１６に沿って移動する。
【００５４】  通帳ケース１の横方向の実質接合部１６をＸ軸１７、左側の縦方向の実質接合部１６をＹ軸１８、原点をＯとすると、キャッシュカード３が通帳ケース１から抜け出すときの移動を示す境界線はＸ軸１７、Ｙ軸１８の両方にキャッシュカード３が接触して移動するキャッシュカード３の描く軌跡として求められる。この軌跡は、数学的には包絡線と呼ばれている。従って、キャッシュカード３は、包絡線のＸ軸、Ｙ軸側すなわちキャッシュカード側に設けたブロック点に当たった時点でそれ以上は進行できなくなる。キャッシュカード３の角が直角の場合に比べ、実際にはキャッシュカード３の角は丸みをおびており計算が複雑になるので、パソコン上でキャッシュカード３の動きをシュミレーションして包絡線を求めた。
【００５５】  図１３では、図を見やすくするため、キャッシュカード３をＸ軸１７、Ｙ軸１８に同時に接しながら１５度おきに水平から傾いた状態すなわち傾き角が０度、１５度、３０度、４５度、６０度、７５度、９０度の７個のキャッシュカード３の位置を示している。包絡線はこれらすべてのキャッシュカード３に共通に接する曲線で与えられる。実際には、キャッシュカード３を連続的に移動させて包絡線Ｌ１を求めた。開口部１３を通って通帳ケース１の向かって右側から外部に抜け出す場合の包絡線は、包絡線Ｌ１の中心線１４に対する線対称な包絡線Ｌ２で与えられる。包絡線Ｌ１と包絡線Ｌ２の交点をＬとする。包絡線Ｌ１、包絡線Ｌ２、交点Ｌからなる略Ｖ字の外側すなわちキャッシュカード３側で、且つ、横置きのキャッシュカード３の高さより上方の領域がブロック点Ｑ、Ｓの設定領域となる。逆に言うと、略Ｖ字の内側がブロック点Ｑ、Ｓの非設定領域となる。
【００５６】  具体的に包絡線Ｌ１、Ｌ２をイメージするには、図１３と同じように、用紙上に原点Ｏで直交するＸ軸、Ｙ軸を書き、その両軸に接するように実際にキャシュカードを置いて、その外周をなぞる動作をキャシュカードの傾きを変えながら反復することにより求められる。図１３にほぼ包絡線Ｌ１上の３点α、β、γを示した。αは縦置きしたキャッシュカード３のほぼ角を、γは横置きしたキャッシュカード３のほぼ角を示し、各々の座標はα（５４，８６）、γ（８６，５４）である。又、包絡線Ｌ１は原点Ｏを通る角度４５度の直線に対して対称であるが、この４５度の直線と包絡線Ｌ１の交点に近い４５度の直線上の点をβ（６７，６７）とする。包絡線Ｌ１は実質的に、直線αβと直線βγで近似できる。又、包絡線Ｌ１と包絡線Ｌ２の交点Ｌは、通帳ケース１の横方向の中心線１４上にあり通帳ケース１の横方向の寸法により変化する。ここでは通帳ケース１の横方向の寸法は１５２ｍｍであり、γの座標は原点Ｏに対しほぼＬ（７１、６４）になる。ここで示したα、β、γ、Ｌの座標は、原点Ｏで直交する実質接合部１６に設けた座標軸に対するものである。通帳ケース１の外周に設けた原点Ｏ´で直交するＸ軸１７´、Ｙ軸１８´から見ると原点Ｏは垂直方向、水平方向に各々５ｍｍずれているので原点Ｏ´の座標軸から見たα、β、γ、Ｌの座標は、α（５９，９１）、β（７２，７２）、γ（９１、５９）、Ｌ（７６、６９）となる。又、図中に示したブロック点Ｑ、ＳはＸ軸１７´からの高さは約７８ｍｍ、線ＱＳの長さは約３０ｍｍでありブロック点の上記設定領域内にある。このように上記α、β、γ点の座標からブロック点の設定領域を具体的に把握することが可能である。
【００５７】  本発明の実施例では、預金通帳を入れる通帳ケースからキャッシュカードの抜け落ちを防止する場合について説明しているが、例えば健康保険証と診察券カード、お薬手帳と診察券カードなどのように第１の収納物用のケースに、第１の収納物より小さいカード状の第２の収納物を一緒に入れて使用する収納ケースにも適用できる。
【符号の説明】
【００５８】  １…通帳ケース、２…預金通帳、３…キャッシュカード、４…ガード部材、５…孔、６…切込み、１１…おもて面部材、１２…裏面部材、１３…開口部、１４…中心線、１５…接合部、１６…実質接合部、４１…接着部
【図１】
2019209674.tif 000003
【図２】
2019209674.tif 000004
【図３】
2019209674.tif 000005
【図４】
2019209674.tif 000006
【図５】
2019209674.tif 000007
【図６】
2019209674.tif 000008
【図７】
2019209674.tif 000009
【図８】
2019209674.tif 000010
【図９】
2019209674.tif 000011
【図１０】
2019209674.tif 000012
【図１１】
2019209674.tif 000013
【図１２】
2019209674.tif 000014
【図１３】
2019209674.tif 000015